(57)【特許請求の範囲】
【請求項１】
（ａ）下記一般式（１）で表される多価アルコールのアルキレンオキサイド付加物及び下記一般式（２）で表されるポリオキシアルキレンモノアルキルエーテルからなる群より選択される少なくとも１種の化合物を合計で０．０１〜１０質量％、及び、（ｂ）リバースプルロニック型ブロックポリマーを０．１〜１０質量％含むことを特徴とする自動食器洗浄機用又はコンテナ洗浄機用の洗浄剤組成物。
【化１】
0006035447.tif 000011
（式中、Ｒ１は、炭素数３〜２０の３〜８価の多価アルコールから全部の水酸基を除いた残基を表し、Ａ１Ｏは、オキシプロピレン基を表し、ｎは、オキシプロピレン基の平均付加モル数を表し、２〜１０００の数であり、ｍは、３〜８の整数を表し、ｍ個の〔−Ｏ―（Ａ１Ｏ）ｎ−Ｈ〕は同一であってもよく、異なっていてもよい。）
【化２】
0006035447.tif 000012
（式中、Ｒ２は、炭素数１〜２０のアルキル基又は炭素数２〜２０のアルケニル基を表し、Ａ２Ｏは、オキシプロピレン基を表し、ｔは、オキシプロピレン基の平均付加モル数を表し、２〜１００の数である。）
【請求項２】
前記一般式（２）において、Ｒ２が炭素数１〜２０のアルキル基を表す請求項１に記載の自動食器洗浄機用又はコンテナ洗浄機用の洗浄剤組成物。
【請求項３】
前記一般式（２）において、Ｒ２が炭素数３〜１５のアルキル基を表し、ｔが２〜６０の数である請求項１又は２に記載の自動食器洗浄機用又はコンテナ洗浄機用の洗浄剤組成物。
【請求項４】
前記一般式（２）で表されるポリオキシアルキレンモノアルキルエーテルが、ポリオキシプロピレントリデシルエーテルである請求項１〜３のいずれかに記載の自動食器洗浄機用又はコンテナ洗浄機用の洗浄剤組成物。
【請求項５】
前記一般式（１）において、Ｒ１が炭素数３〜５の３価の脂肪族アルコールから全部の水酸基を除いた残基を表し、ｎが２〜２５０の数であり、ｍが３である請求項１〜４のいずれかに記載の自動食器洗浄機用又はコンテナ洗浄機用の洗浄剤組成物。
【請求項６】
前記リバースプルロニック型ブロックポリマー中のオキシエチレン基（ＥＯ）とオキシプロピレン基（ＰＯ）のモル比（ＥＯ／ＰＯ）が１／１０〜１／２である請求項１〜５のいずれかに記載の自動食器洗浄機用又はコンテナ洗浄機用の洗浄剤組成物。
【請求項７】
さらに、アルカリ剤、キレート剤、可溶化剤、漂白剤、腐食防止剤、除菌剤及び酵素からなる群より選択される少なくとも１種を含有する請求項１〜６のいずれかに記載の自動食器洗浄機用又はコンテナ洗浄機用の洗浄剤組成物。
【発明の詳細な説明】
【技術分野】
【０００１】
本発明は、自動洗浄機用洗浄剤組成物に関する。
【背景技術】
【０００２】
ホテル、レストラン等においては、作業の効率化、衛生管理などの観点から、使用後の食器又は調理器具の洗浄に自動食器洗浄機等の自動洗浄機が用いられている。また、一般家庭においても、近年急速に自動洗浄機が普及している。自動洗浄機に用いられる洗浄剤組成物に求められる性能として、洗浄力が高いことに加えて、泡立ちが少ないこと（低泡性）が挙げられる。
【０００３】
特許文献１には、低泡性の自動食器洗浄機用の洗浄剤組成物として、（ａ）非イオン界面活性剤０．１〜５質量％、（ｂ）ポリプロピレングリコール０．１〜１０質量％等を含有し、全界面活性剤濃度が１０質量％以下であって、粘度１０００〜４０００ｍＰａ・ｓの液状洗浄剤組成物が開示されている。特許文献２には、特定構造の非イオン界面活性剤（ａ）と、オキシプロピレン基の平均縮合度が１０〜９０であるポリオキシプロピレン（ｂ）とを合計で０．１〜２０重量％含有し、且つ（ａ）と（ｂ）の重量比が（ａ）／（ｂ）＝１／２〜１／１である自動食器洗浄機用洗浄剤組成物が開示されている。特許文献３には、オキシプロピレン基の平均縮合度が３０〜９０であるポリオキシプロピレンを含有する自動食器洗浄機用洗浄剤組成物が開示されている。
【先行技術文献】
【特許文献】
【０００４】
【特許文献１】特許第５０６４０４５号公報
【特許文献２】特許第３４１３３５１号公報
【特許文献３】特許第２９３１５７１号公報
【発明の概要】
【発明が解決しようとする課題】
【０００５】
自動洗浄機は、高温（例えば、４０〜７０℃）の洗浄液を噴射して食器等の汚れを落とすタイプのものが主流であるが、自動洗浄機の立ち上げ（運転開始）時には、洗浄液の水温は室温程度の低温である場合が多い。このように洗浄液の温度が低い場合（低温時）には、自動洗浄機用洗浄剤組成物に含まれる界面活性剤等の成分が泡立ち易い。また、洗浄液の泡立ちは、洗浄剤組成物に含まれる界面活性剤等の成分に起因するだけでなく、食器等に付着した汚れ（食品残渣等）から持ち込まれる物質によっても発生する。例えば、油汚れ、タンパク質汚れ、デンプン汚れ等の食品由来の汚れによって、泡立ちが引き起こされる。特に激しい泡立ちを引き起こすのはタンパク質汚れであり、代表的なものとして卵汚れが挙げられる。特許文献１〜３の自動食器洗浄機用洗浄剤組成物は、このような低温時の泡立ちや、汚れに起因する泡立ちの抑制効果をより向上させる改善の余地があった。
また、業務用自動洗浄機では、通常家庭用自動洗浄機よりも高圧の水流で洗浄を行うため泡立ちも多く、より高い抑泡性が必要とされる。特許文献１〜３の自動食器洗浄機用洗浄剤組成物は、業務用自動洗浄機で使用する場合に抑泡性が不充分であり、抑泡性をより高める改善の余地があった。
【０００６】
本発明は、上記のような課題を解決するためになされたものであり、低温時の泡立ち及び汚れに起因する泡立ちを抑制することができ、業務用自動洗浄機に使用した場合にも泡立ちを抑制することができる自動洗浄機用洗浄剤組成物を提供することを目的とする。
【課題を解決するための手段】
【０００７】
本発明の自動洗浄機用洗浄剤組成物は、（ａ）下記一般式（１）で表される多価アルコールのアルキレンオキサイド付加物及び下記一般式（２）で表されるポリオキシアルキレンモノアルキルエーテルからなる群より選択される少なくとも１種の化合物を合計で０．０１〜１０質量％、及び、（ｂ）リバースプルロニック型ブロックポリマーを０．１〜１０質量％含むことを特徴とする。
【０００８】
【化１】
0006035447.tif 000002
【０００９】
（式中、Ｒ１は、炭素数３〜２０の３〜８価の多価アルコールから全部の水酸基を除いた残基を表し、Ａ１Ｏは、同一又は異なって、炭素数３又は４のオキシアルキレン基を表し、ｎは、オキシアルキレン基の平均付加モル数を表し、２〜１０００の数であり、ｍは、３〜８の整数を表し、ｍ個の〔−Ｏ―（Ａ１Ｏ）ｎ−Ｈ〕は同一であってもよく、異なっていてもよい。）
【００１０】
【化２】
0006035447.tif 000003
【００１１】
（式中、Ｒ２は、炭素数１〜２０のアルキル基又は炭素数２〜２０のアルケニル基を表し、Ａ２Ｏは、同一又は異なって、炭素数３又は４のオキシアルキレン基を表し、ｔは、オキシアルキレン基の平均付加モル数を表し、２〜１００の数である。）
【００１２】
本明細書中、洗浄剤組成物の各成分の含量（質量％）は、特に断らない場合には洗浄剤組成物に対する純分の含量である。
【００１３】
本発明の自動洗浄機用洗浄剤組成物（以下、単に本発明の洗浄剤組成物ともいう）は、（ａ）一般式（１）で表される多価アルコールのアルキレンオキサイド付加物及び一般式（２）で表されるポリオキシアルキレンモノアルキルエーテルからなる群より選択される少なくとも１種の化合物（以下、成分（ａ）ともいう）を合計で０．０１〜１０質量％、及び、（ｂ）リバースプルロニック型ブロックポリマー（以下、成分（ｂ）ともいう）を０．１〜１０質量％含む。本発明の洗浄剤組成物は、成分（ａ）及び（ｂ）を上記量含むことにより、優れた抑泡性及び洗浄力を発揮することができるものである。このため、低温時及び食品残渣等の汚れの存在下において優れた抑泡性を発揮することができる。また、洗浄剤組成物を業務用自動洗浄機で使用する場合でも、泡立ちを抑制することができる。特に、成分（ａ）を上記量含むことにより、低温時の泡立ちを抑制することができ、自動洗浄機による食器等の洗浄において、例えば洗浄機の立ち上げ時に洗浄液が低温であっても、低温〜洗浄温度の温度範囲において、洗浄液の泡立ちを抑制することができる。また、成分（ｂ）を上記量含むことにより、汚れに起因する泡立ちを抑制することができ、汚れが多量に存在する場合でも高い抑泡性を示す。さらに、本発明の洗浄剤組成物は、成分（ａ）及び成分（ｂ）を上記量含むことにより、洗浄力が高いものである。
洗浄液とは、自動洗浄機用洗浄剤組成物を水で希釈した又は水に溶解させた洗浄剤水溶液を意味する。
【００１４】
本発明における低温時とは、例えば、洗浄液温度が４０℃未満の場合が挙げられ、好ましくは洗浄液温度が１０〜３０℃、より好ましくは洗浄液温度が１０〜２０℃の場合である。本発明の洗浄剤組成物は、このような低温時において高い抑泡性を発揮することができる。
【００１５】
本発明においては、上記一般式（２）において、Ｒ２が炭素数１〜２０のアルキル基を表すことが好ましい。上記ポリオキシアルキレンモノアルキルエーテルが、このようなポリオキシアルキレンモノアルキルエーテルであると、低温時の抑泡性がより向上する。
【００１６】
本発明においては、上記一般式（２）において、Ｒ２が炭素数３〜１５のアルキル基を表し、上記Ａ２Ｏがオキシプロピレン基を表し、ｔが、２〜６０の数であることがより好ましい。
ポリオキシアルキレンモノアルキルエーテルが、このようなポリオキシアルキレンモノアルキルエーテルであると、低温時の抑泡性をさらに向上させることができる。
上記一般式（２）で表されるポリオキシアルキレンモノアルキルエーテルは、さらに好ましくはポリオキシプロピレントリデシルエーテルである。ポリオキシプロピレントリデシルエーテルを含むと、低温時の抑泡性をさらに向上することができる。
【００１７】
上記一般式（１）においては、Ｒ１が炭素数３〜５の３価の脂肪族アルコールから全部の水酸基を除いた残基を表し、Ａ１Ｏがオキシプロピレン基を表し、ｎが２〜２５０の数であり、ｍが３であることが好ましい。
成分（ａ）における多価アルコールのアルキレンオキサイド付加物がこのような３価の脂肪族アルコールのプロピレンオキサイド付加物であると、低温時の抑泡性がより向上する。
【００１８】
本発明においては、上記リバースプルロニック型ブロックポリマー中のオキシエチレン基（ＥＯ）とオキシプロピレン基（ＰＯ）のモル比（ＥＯ／ＰＯ）が１／１０〜１／２であることが好ましい。より好ましくは、上記モル比（ＥＯ／ＰＯ）は１／６〜１／２である。
上記リバースプルロニック型ブロックポリマー中のオキシエチレン基（ＥＯ）とオキシプロピレン基（ＰＯ）のモル比（ＥＯ／ＰＯ）が上記範囲であると、汚れ存在下での抑泡性がより向上する。
【００１９】
本発明の洗浄剤組成物は、さらに、アルカリ剤、キレート剤、可溶化剤、漂白剤、腐食防止剤、除菌剤及び酵素からなる群より選択される少なくとも１種を含有することが好ましい。
洗浄剤組成物が成分（ａ）及び成分（ｂ）に加えて上記の成分の少なくとも１種を含有すると、洗浄力等がより向上するため好ましい。
本発明の自動洗浄機用洗浄剤組成物は、自動食器洗浄機用洗浄剤組成物として好適である。
【発明の効果】
【００２０】
本発明によれば、低温時の泡立ち及び汚れに起因する泡立ちを抑制することができ、業務用食器洗浄機に使用した場合にも泡立ちを抑制することができる自動洗浄機用洗浄剤組成物が提供される。
【発明を実施するための形態】
【００２１】
以下、本発明の実施形態について具体的に説明する。しかしながら、本発明は、以下の実施形態に限定されるものではなく、本発明の要旨を変更しない範囲において適宜変更して適用することができる。
【００２２】
本発明の自動洗浄機用洗浄剤組成物は、（ａ）下記一般式（１）で表される多価アルコールのアルキレンオキサイド付加物及び下記一般式（２）で表されるポリオキシアルキレンモノアルキルエーテルからなる群より選択される少なくとも１種の化合物を合計で０．０１〜１０質量％、及び、（ｂ）リバースプルロニック型ブロックポリマーを０．１〜１０質量％含むことを特徴とする。
【００２３】
【化３】
0006035447.tif 000004
【００２４】
（式中、Ｒ１は、炭素数３〜２０の３〜８価の多価アルコールから全部の水酸基を除いた残基を表し、Ａ１Ｏは、同一又は異なって、炭素数３又は４のオキシアルキレン基を表し、ｎは、オキシアルキレン基の平均付加モル数を表し、２〜１０００の数であり、ｍは、３〜８の整数を表し、ｍ個の〔−Ｏ―（Ａ１Ｏ）ｎ−Ｈ〕は同一であってもよく、異なっていてもよい。）
【００２５】
【化４】
0006035447.tif 000005
【００２６】
（式中、Ｒ２は、炭素数１〜２０のアルキル基又は炭素数２〜２０のアルケニル基を表し、Ａ２Ｏは、同一又は異なって、炭素数３又は４のオキシアルキレン基を表し、ｔは、オキシアルキレン基の平均付加モル数を表し、２〜１００の数である。）
【００２７】
上記成分（ａ）は、一般式（１）で表される多価アルコールのアルキレンオキサイド付加物及び下記一般式（２）で表されるポリオキシアルキレンモノエーテルからなる群より選択される少なくとも１種の化合物である。成分（ａ）として、これらの化合物を１種のみ用いてもよく、２種以上を併用してもよい。
成分（ａ）を上記量含むことにより、優れた抑泡性を発揮することができる。特に低温時の抑泡性が向上し、自動洗浄機の立ち上がり時の泡立ちを抑制することができる。また、洗浄剤組成物を業務用自動洗浄機に使用した場合にも泡立ちを抑制することができる。
【００２８】
上記一般式（１）におけるＲ１は、炭素数３〜２０の３〜８価の多価アルコールから全部の水酸基を除いた残基を表す。炭素数３〜２０の３〜８価の多価アルコールとして、例えば、グリセロール（グリセリン）、１，２，３−ブタントリオール、１，２，４−ブタントリオール、１，２，３−ペンタントリオール、１，２，４−ペンタントリオール、２−メチル−１，２，３−プロパントリオール、２−メチル−２，３，４−ブタントリオール、２−エチル−１，２，３−ブタントリオール、２，３，４−ペンタントリオール、３−メチルペンタン−１，３，５−トリオール、２，４−ジメチル−２，３，４−ペンタントリオール、２，３，４−ヘキサントリオール、４−プロピル−３，４，５−ヘプタントリオール、１，３，５−シクロヘキサントリオール、ペンタメチルグリセリン、トリメチロールエタン、トリメチロールプロパン等の３価のアルコール；テトラメチロールメタン（ペンタエリスリトール）、ジグリセリンなどの４価のアルコール；アラビトール、ガラクトース、キシリトール、グルコース、フルクトース、マンノース、アロース、グロース、イドース、タロース等の５価のアルコール；ジペンタエリスリトール、ソルビトール、マンニトール、イジトール、イノシトール等の６価のアルコール；ペルセイトールの７価のアルコール；スクロース、マルトース、ラクトース等の８価のアルコール等が挙げられる。中でも、炭素数３〜２０の３〜６価の多価アルコールが好ましく、炭素数３〜１０の３〜６価の多価アルコールがより好ましく、例えば、グリセロール、ソルビトール、ペンタエリスリトール、トリメチロールプロパンがさらに好ましい。中でも、炭素数３〜５の３価の脂肪族アルコールが特に好ましく、グリセロールが最も好ましい。
【００２９】
Ａ１Ｏで表される炭素数３又は４のオキシアルキレン基は、オキシプロピレン基、オキシブチレン基である。Ａ１Ｏは、オキシプロピレン基を含むことが好ましく、全オキシアルキレン基中のオキシプロピレン基の割合は、５０モル％以上であることが好ましく、８０モル％以上であることがより好ましく、９５モル％以上がさらに好ましい。特に好ましくは、Ａ１Ｏはオキシプロピレン基である。
Ａ１Ｏとしてオキシプロピレン基及びオキシブチレン基を有する場合、これらの付加形式は、ランダム状でもよく、ブロック状でもよい。
【００３０】
一般式（１）において、ｎは、好ましくは２〜２００であり、より好ましくは２〜１００であり、さらに好ましくは１０〜１００であり、特に好ましくは１５〜１００であり、最も好ましくは１５〜７０である。
ｍは、好ましくは３〜６であり、より好ましくは３〜５であり、さらに好ましくは３である。
また、一般式（１）で表される多価アルコールのアルキレンオキサイド付加物は、１分子あたりのオキシアルキレン基の平均付加モル数（ｎ×ｍ）が、１０〜３００であることが好ましく、より好ましくは４０〜１５０である。
【００３１】
一般式（１）で表される多価アルコールのアルキレンオキサイド付加物の質量平均分子量は、２５０〜４００００であることが好ましく、５００〜１００００であることがより好ましい。
質量平均分子量は、Ｎ，Ｎ−ジメチルホルムアミド（ＤＭＦ）を展開溶媒とし、ゲルパーミエーションクロマトグラフィーでポリエチレングリコール（ＰＥＧ）を標準物質として求められる。
【００３２】
成分（ａ）における多価アルコールのアルキレンオキサイド付加物の好ましい態様の一例は、一般式（１）において、Ｒ１が炭素数３〜５の３価の脂肪族アルコールから全部の水酸基を除いた残基を表し、Ａ１Ｏがオキシプロピレン基を表し、ｎが２〜２５０の数であり、ｍが３である化合物である。多価アルコールのアルキレンオキサイド付加物は、より好ましくは、一般式（１）において、Ｒ１が、グリセロールから全部の水酸基を除いた残基を表し、Ａ１Ｏが、オキシプロピレン基を表し、ｎが、１０〜２００（好ましくは、１５〜１００）の数であり、ｍが、３を表す化合物である。３個の〔−Ｏ―（Ａ１Ｏ）ｎ−Ｈ〕は同一であってもよく、異なっていてもよい。
また、多価アルコールのアルキレンオキサイド付加物として、一般式（１）において、Ｒ１が、トリメチロールプロパン、ペンタエリスリトール又はソルビトールから全部の水酸基を除いた残基を表し、Ａ１Ｏが、オキシプロピレン基を表し、ｎが、５〜５０（好ましくは、８〜３０）の数であり、ｍが、３、４又は６を表す化合物も好ましい。この場合、ｍ個の〔−Ｏ―（Ａ１Ｏ）ｎ−Ｈ〕は同一であってもよく、異なっていてもよい。
多価アルコールのアルキレンオキサイド付加物としてこのような化合物を含むと、低温時の抑泡性をより向上させることができる。このため自動洗浄機の立ち上がり時の泡立ちをより充分に抑制することができる。
【００３３】
本発明における成分（ａ）は、一般式（２）で表されるポリオキシアルキレンモノアルキルエーテルであることが好ましい。
【００３４】
上記一般式（２）におけるＲ２は、炭素数１〜２０のアルキル基又は炭素数２〜２０のアルケニル基を表し、Ａ２Ｏは、同一又は異なって、炭素数３又は４のオキシアルキレン基を表し、ｔは、オキシアルキレン基の平均付加モル数を表し、２〜１００の数である。
【００３５】
一般式（２）において、Ｒ２は、好ましくは炭素数１〜２０のアルキル基である。本発明におけるポリオキシアルキレンモノアルキルエーテルは、一般式（２）において、Ｒ２が、炭素数１〜２０のアルキル基を表すポリオキシアルキレンモノアルキルエーテルであることが好ましい。
【００３６】
炭素数１〜２０のアルキル基としては、例えば、メチル基、エチル基、ｎ−プロピル基、イソプロピル基、ｎ−ブチル基、イソブチル基、ｔ−ブチル基、ｎ−ペンチル基、ｔ−ペンチル基、ｎ−ヘキシル基、ｓ−ヘキシル基、ｔ−ヘキシル基、イソヘキシル基、ｎ−ヘプチル基、ｓ−ヘプチル基、ｔ−ヘプチル基、イソヘプチル基、ｎ−オクチル基、ｓ−オクチル基、ｔ−オクチル基、イソオクチル基、２−エチルへキシル基、３−エチルへキシル基、ｎ−ノニル基、ｓ−ノニル基、ｔ−ノニル基、イソノニル基、ｎ−デシル基、ｓ−デシル基、ｔ−デシル基、イソデシル基、ｎ−ウンデシル基、ｓ−ウンデシル基、ｔ−ウンデシル基、イソウンデシル基、ｎ−ドデシル基、ｓ−ドデシル基、ｔ−ドデシル基、イソドデシル基、ｎ−トリデシル基、ｓ−トリデシル基、ｔ−トリデシル基、イソトリデシル基、ｎ−テトラデシル基、ｓ−テトラデシル基、ｔ−テトラデシル基、イソテトラデシル基、ｎ−ペンタデシル基、ｓ−ペンタデシル基、ｔ−ペンタデシル基、イソペンタデシル基、ｎ−ヘキサデシル基、ｓ−ヘキサデシル基、ｔ−ヘキサデシル基、イソヘキサデシル基、ｎ−ヘプタデシル基、ｓ−ヘプタデシル基、ｔ−ヘプタデシル基、イソヘプタデシル基、ｎ−オクタデシル基、ｓ−オクタデシル基、ｔ−オクタデシル基、イソオクタデシル基等の直鎖又は分岐鎖アルキル基が挙げられる。中でも、炭素数３〜１５のアルキル基が好ましく、炭素数４〜１５のアルキル基がより好ましく、炭素数１２〜１５のアルキル基がさらに好ましく、炭素数１３のアルキル基が特に好ましい。また、アルキル基は、分岐鎖アルキル基が好ましい。
【００３７】
炭素数２〜２０のアルケニル基としては、例えば、ビニル基、１−プロペニル基、２−プロペニル基、２−ブテニル基、３−ブテニル基、３−ペンテニル基、４−ペンテニル基、ヘキセニル基、ヘプテニル基、オクテニル基、ノネニル基、デセニル基、ウンデセニル基、ドデセニル基、トリデセニル基、テトラデセニル基、ペンタデセニル基、ヘキサデセニル基、ヘプタデセニル基、オクタデセニル基等の直鎖又は分岐鎖アルケニル基が挙げられる。中でも、炭素数４〜１５のアルケニル基が好ましく、例えば、２−ブテニル基、３−ブテニル基、デセニル基、ウンデセニル基、ドデセニル基、トリデセニル基、テトラデセニル基、ペンタデセニル基が好ましく、炭素数５〜１５のアルケニル基がより好ましく、トリデセニル基が特に好ましい。
【００３８】
Ａ２Ｏで表される炭素数３又は４のオキシアルキレン基は、オキシプロピレン基、オキシブチレン基である。Ａ２Ｏは、オキシプロピレン基を含むことが好ましく、全オキシアルキレン基中のオキシプロピレン基の割合は、５０モル％以上であることが好ましく、８０モル％以上であることがより好ましく、９５モル％以上がさらに好ましい。特に好ましくは、Ａ２Ｏはオキシプロピレン基である。
Ａ２Ｏとしてオキシプロピレン基及びオキシブチレン基を有する場合、これらの付加形式は、ランダム状でもよく、ブロック状でもよい。
ｔは、好ましくは２〜６０であり、より好ましくは２〜５５であり、さらに好ましくは２〜１０である。
【００３９】
一般式（２）で表されるポリオキシアルキレンモノアルキルエーテルの質量平均分子量は、１５０〜５０００であることが好ましく、２５０〜４０００であることがより好ましい。
上記質量平均分子量は、ＤＭＦを展開溶媒とし、ゲルパーミエーションクロマトグラフィーでＰＥＧを標準物質として求められる。
【００４０】
一般式（２）の好ましい態様の一例として、Ｒ２が炭素数３〜１５のアルキル基を表し、Ａ２Ｏがオキシプロピレン基を表し、ｔが、２〜６０の数であることが挙げられる。より好ましくは、一般式（２）において、Ｒ２が炭素数４〜１５（より好ましくは炭素数１２〜１５）のアルキル基を表し、Ａ２Ｏがオキシプロピレン基を表し、ｔが、２〜６０の数である。ポリオキシアルキレンモノアルキルエーテルがこのような化合物であると、低温時の抑泡性をより向上させることができる。
【００４１】
本発明においては、上記一般式（２）で表されるポリオキシアルキレンモノアルキルエーテルが、Ｒ２が炭素数１２〜１５のアルキル基であるポリオキシプロピレンモノアルキルエーテルであることが好ましく、ポリオキシプロピレントリデシルエーテルであることが特に好ましい。ポリオキシプロピレントリデシルエーテルを含有すると、低温時の抑泡性が特に良好であるため好ましい。Ｒ２が炭素数１２〜１５のアルキル基であるポリオキシアルキレンモノアルキルエーテル（好ましくはポリオキシプロピレントリデシルエーテル）は、好ましくはオキシプロピレン基の平均付加モル数（ｔ）が２〜５０（より好ましくは２〜１０、さらに好ましくは２〜８）である。
【００４２】
本発明の洗浄剤組成物は、成分（ａ）を０．０１〜１０質量％含有する。成分（ａ）の含量が上記範囲であると、低温時の抑泡性が良好となる。成分（ａ）が１０質量％を超えると、洗浄作用が低下する場合がある。成分（ａ）の含有量は、低温時の抑泡性がより良好となることから、好ましくは０．０１〜８質量％であり、より好ましく０．１〜５質量％である。成分（ａ）に２種以上の化合物が含まれる場合、上記含有量は、それらの合計として定める。
【００４３】
本発明における成分（ｂ）は、リバースプルロニック型ブロックポリマーである。リバースプルロニック型ブロックポリマーは、１種のみ用いてもよく、２種以上を併用してもよい。
【００４４】
リバースプロニック型ブロックポリマーの質量平均分子量は、好ましくは１０００〜６０００であり、より好ましくは２０００〜５０００である。質量平均分子量が上記範囲であると、汚れ存在下での抑泡性がより向上する。
上記質量平均分子量は、ＤＭＦを展開溶媒とし、ゲルパーミエーションクロマトグラフィーでＰＥＧを標準物質として求められる。
【００４５】
上記リバースプルロニック型ブロックポリマー中のオキシエチレン基（ＥＯ）とオキシプロピレン基（ＰＯ）のモル比（ＥＯ／ＰＯ）は１／１０〜１／２であることが好ましく、１／６〜１／２であることがより好ましい。ＥＯ／ＰＯのモル比が上記割合であるリバースプルロニック型ブロックポリマーを含むと、汚れ存在下での抑泡性がより向上するため好ましい。
【００４６】
本発明の洗浄剤組成物は、成分（ｂ）を０．１〜１０質量％含有する。成分（ｂ）を上記量含むことにより、優れた抑泡性を発揮することができる。特に、汚れ存在下での抑泡性が向上し、洗浄液中に汚れが多量に存在する場合でも泡立ちを抑制することができる。また、洗浄剤組成物を業務用自動洗浄機に使用した場合にも泡立ちを抑制することができる。さらに、成分（ｂ）を上記量含むことにより、高い洗浄力を発揮することができる。成分（ｂ）の含有量は、好ましくは０．５〜１０質量％であり、より好ましく１〜１０質量％であり、さらに好ましくは１．５〜８質量％である。成分（ｂ）に２種以上の化合物が含まれる場合、上記含有量は、それらの合計として定める。
【００４７】
本発明の洗浄剤組成物は、本発明の効果を損なわない限り、成分（ａ）及び成分（ｂ）以外の成分を含んでもよい。
例えば、本発明の洗浄剤組成物は、さらに、アルカリ剤、キレート剤、可溶化剤、漂白剤、腐食防止剤、除菌剤及び酵素からなる群より選択される少なくとも１種を含有することが好ましい。これらはそれぞれ１種のみ用いてもよく、２種以上を併用してもよい。
【００４８】
洗浄剤組成物がアルカリ剤を含有すると、洗浄力が向上するため好ましい。
アルカリ剤としては、水溶性のアルカリ剤であればよく、例えば、アルカリ金属塩又はアルカリ土類金属塩を用いることができる。アルカリ金属塩としては、アルカリ金属の水酸化物、アルカリ金属のリン酸塩、アルカリ金属の炭酸塩及びケイ酸のアルカリ金属塩からなる群より選択される少なくとも１種の化合物が好ましく、例えば、水酸化ナトリウム、水酸化カリウム等のアルカリ金属の水酸化物；リン酸三ナトリウム等のアルカリ金属のリン酸塩；炭酸ナトリウム、炭酸カリウム、炭酸水素ナトリウム、炭酸水素カリウム等のアルカリ金属の炭酸塩；ケイ酸ナトリウム（メタケイ酸ナトリウム、セスキケイ酸ナトリウム、オルソケイ酸ナトリウム、ケイ酸ソーダ１号、ケイ酸ソーダ２号、ケイ酸ソーダ３号、ケイ酸ソーダ４号）、ケイ酸カリウム（メタケイ酸カリウム、セスキケイ酸カリウム、オルソケイ酸カリウム）等のケイ酸のアルカリ金属塩が好ましい。これらのアルカリ剤は、水和物となっていてもよい。中でも、アルカリ金属の水酸化物、ケイ酸のアルカリ金属塩がより好ましく、ケイ酸のアルカリ金属塩がさらに好ましい。なお、後記するキレート剤として例示される化合物は、本発明におけるアルカリ剤には含まれない。
【００４９】
洗浄剤組成物がアルカリ剤を含有する場合、アルカリ剤の含有量は、洗浄剤組成物に対して５〜８５質量％であることが好ましい。アルカリ剤の含有量が上記範囲であると、洗浄力がより高くなる。上記アルカリ剤の含有量は、好ましくは１０〜５０質量％である。アルカリ剤が２種以上含まれる場合、上記含有量は、各アルカリ剤の含有量の合計として定める。
【００５０】
洗浄剤組成物がキレート剤を含有すると、洗浄力がより高くなるため好ましい。
キレート剤としては、アミノカルボン酸系、ヒドロキシカルボン酸系、リン酸系、エーテルカルボン酸塩、ホスホン酸系等のキレート剤が挙げられる。後記する質量平均分子量３０００〜３０００００の高分子分散剤として例示されるポリアクリル酸ナトリウム等の化合物は、本発明におけるキレート剤には含まれない。
【００５１】
上記アミノカルボン酸系のキレート剤としては、エチレンジアミン四酢酸（ＥＤＴＡ）、ニトリロ三酢酸（ＮＴＡ）、メチルグリシン二酢酸（ＭＧＤＡ）、ジエチレントリアミン五酢酸（ＤＴＰＡ）、ヒドロキシエチルエチレンジアミン三酢酸（ＨＥＤＴＡ）、トリエチレンテトラミン六酢酸（ＴＴＨＡ）、グルタミン酸二酢酸（ＧＬＤＡ）、ヒドロキシエチルイミノ二酢酸（ＨＩＤＡ）、ジヒドロキシエチルグリシン（ＤＨＥＧ）、１，３−プロパンジアミン四酢酸（ＰＤＴＡ）、１，３−ジアミノ−２−ヒドロキシプロパン六酢酸（ＤＰＴＡ−ＯＨ）、アスパラギン酸二酢酸（ＡＳＤＡ）、エチレンジアミンコハク酸（ＥＤＤＳ）又はこれらの塩等が挙げられる。
【００５２】
上記ヒドロキシカルボン酸系のキレート剤としては、例えば、リンゴ酸、コハク酸、クエン酸、乳酸、酒石酸、グルコン酸又はこれらの塩が挙げられる。
上記リン酸系のキレート剤としては、トリポリリン酸、ヘキサメタリン酸塩等が挙げられる。
【００５３】
上記ホスホン酸系のキレート剤としては、ヒドロキシエチリデンジホスホン酸（ＨＥＤＰ）、ニトリロトリスメチレンホスホン酸（ＮＴＭＰ）、ホスホノブタントリカルボン酸（ＰＢＴＣ）、エチレンジアミンテトラメチレンホスホン酸（ＥＤＴＭＰ）又はこれらの塩等が挙げられる。
【００５４】
上記キレート剤における塩としては、例えば、カリウム、ナトリウム等のアルカリ金属の塩；マグネシウム、カルシウム等のアルカリ土類金属の塩を挙げることができる。中でも、アルカリ金属の塩が好ましく、ナトリウム塩又はカリウム塩がより好ましい。
【００５５】
本発明におけるキレート剤としては、アミノカルボン酸系、ホスホン酸系等のキレート剤が好ましく、ニトリロ三酢酸、エチレンジアミン四酢酸、メチルグリシン二酢酸、エチレンジアミンテトラメチレンホスホン酸、ホスホノブタントリカルボン酸又はこれらの塩等がより好ましく、ニトリロ三酢酸、エチレンジアミン四酢酸、メチルグリシン二酢酸又はこれらの塩がさらに好ましい。
【００５６】
洗浄剤組成物がキレート剤を含有する場合、キレート剤の含有量は、洗浄剤組成物に対して５〜８５質量％であることが好ましい。キレート剤が５質量％未満であると、スケールの発生が問題となる場合がある。キレート剤が８５質量％を超えると、洗浄力が低くなる場合がある。上記キレート剤の含有量は、好ましくは３０〜５０質量％である。キレート剤が２種以上含まれる場合、上記含有量は、各キレート剤の含有量の合計として定める。
【００５７】
洗浄剤組成物が可溶化剤を含有すると、液体の場合、保管安定性が向上するため好ましい。
可溶化剤としては、例えば、芳香族酸又はその塩、カルボン酸又はその塩、アルキルポリグルコシド等が挙げられる。これらは、単独で用いても、２種以上を組み合わせて用いてもよい。
芳香族酸としては、キシレンスルホン酸、トルエンスルホン酸、クメンスルホン酸、安息香酸等が挙げられる。
カルボン酸としては、クエン酸、リンゴ酸、コハク酸、酒石酸、オクチル酸、カプリル酸等が挙げられる。
塩としては、例えば、カリウム、ナトリウム等のアルカリ金属や、モノエタノールアミン、ジエタノールアミン、トリエタノールアミン等のアミン類等の塩を挙げることができ、中でも、ナトリウム塩が好ましい。
アルキルポリグルコシドとして、ブチルポリグルコシド等が挙げられる。
中でも、可溶化剤として、オクチル酸、カプリル酸及びブチルポリグルコシドの１種又は２種以上が好ましい。
【００５８】
洗浄剤組成物が可溶化剤を含有する場合、可溶化剤の含有量は、洗浄剤組成物に対して０．１〜１０質量％であることが好ましく、１〜８質量％であることがより好ましく、１〜５質量％がさらに好ましい。可溶化剤が２種以上含まれる場合、上記含有量は、各可溶化剤の含有量の合計として定める。
【００５９】
洗浄剤組成物が漂白剤を含有すると、洗浄力、除菌効果、脱臭作用及び漂白作用が向上する。
漂白剤として、例えば、塩素化イソシアヌル酸塩（塩素化イソシアヌル酸ナトリウム（ジクロロイソシアヌル酸ナトリウム）、塩素化イソシアヌル酸カリウム（ジクロロイソシアヌル酸カリウム）等）、トリクロロイソシアヌル酸、次亜塩素酸塩（次亜塩素酸ナトリウム、次亜塩素酸カリウム、次亜塩素酸カルシウム等）等の塩素系漂白剤が挙げられる。これらの漂白剤は１種を用いてもよく、２種以上を併用してもよい。また、これらの漂白剤は、水和物であってもよい。中でも、漂白剤として、塩素化イソシアヌル酸塩、次亜塩素酸塩が好ましく、塩素化イソシアヌル酸ナトリウム、次亜塩素酸ナトリウムがより好ましい。
【００６０】
洗浄剤組成物が漂白剤を含有する場合、漂白剤の含有量は、洗浄剤組成物に対して０．１〜２０質量％が好ましい。漂白剤が０．１質量％未満であると、漂白剤を添加することによる得られる洗浄力と除菌効果、脱臭作用又は漂白作用の向上が充分でない場合がある。漂白剤が２０質量％を超えると、例えば漂白剤が塩素系漂白剤の場合に塩素臭が問題となる場合がある。漂白剤の含有量は、好ましくは２〜１０質量％である。漂白剤が２種以上含まれる場合、上記含有量は、各漂白剤の含有量の合計として定める。
【００６１】
洗浄剤組成物が腐食防止剤を含有すると、洗浄剤組成物の腐食防止作用（防食作用）が向上する。
腐食防止剤としては、アルミニウム、銅又は銅合金に対する腐食防止剤を用いることが好ましい。このような腐食防止剤として、例えば、ベンゾトリアゾール又はその誘導体（例えば、ベンゾトリアゾール、トリルトリアゾール、５−ドデシルベンゾトリアゾール、５−オクチルベンゾトリアゾール、５−ヘキシルベンゾトリアゾール、５−ブチルベンゾトリアゾール、５−メチルベンゾトリアゾール、４−カルボキシベンゾトリアゾール、５−カルボキシベンゾトリアゾール、カルボキシベンゾトリアゾールメチルエステル、カルボキシベンゾトリアゾールブチルエステル、カルボキシベンゾトリアゾールヘキシルエステル、ベンゾトリアゾールオクチルエステル、ジカルボキシプロピルベンゾトリアゾール等）、ベンゾイミダゾール又はその誘導体（例えば、ベンゾイミダゾール、２−メルカプトベンゾイミダゾール、チアゾリルベンゾイミダゾール、チアベンダゾール等）、ベンゾチアゾール又はその誘導体（例えば、ベンゾチアゾール、２−メチルベンゾチアゾール、２−アミノベンゾチアゾール、２−メルカプトベンゾチアゾール等）を好適に使用することができる。中でも、ベンゾイミダゾール、ベンゾトリアゾール、トリルトリアゾールが好ましく、ベンゾトリアゾール、トリルトリアゾールがより好ましい。
【００６２】
洗浄剤組成物が腐食防止剤を含有する場合、腐食防止剤の含有量は、洗浄剤組成物に対して０．００１〜５質量％が好ましい。腐食防止剤が０．００１質量％未満であると、充分な腐食防止作用を発揮できない場合がある。腐食防止剤が５質量％を超えると、腐食防止剤特有の臭いの影響が強くなる。上記腐食防止剤の含有量は、好ましくは０．１〜２質量％である。腐食防止剤が２種以上含まれる場合、上記含有量は、各腐食防止剤の含有量の合計として定める。
【００６３】
洗浄剤組成物が除菌剤を含有すると、除菌効果が向上する。
除菌剤としては、例えば、Ｎ，Ｎ’，Ｎ’’−トリス（ヒドロキシエチル）ヘキサヒドロ−ｓ−トリアジン、４，４−ジメチルオキサゾリジン、２−オクチル４−イソチアゾリン−３―オン、アルキルジメチルベンジルアンモニウムクロライド、塩化ベンゼトニウム、ジデシルジメチルアンモニウムクロライド、ジオクチルジメチルアンモニウムクロライド、ヘキサデシルピリジニウムクロライド、塩化アルキルジメチルヒドロキシアンモニウム、塩化アルキルジメチルヒドロキシアンモニウム、４，４’−（テトラメチレンジカルボニルアミノ）ビス（１―デシルピリジニウムブロマイド）、グルコン酸クロルヘキシジン、クロルヘキシジン塩酸塩、ポリヘキサメチレンビグアナイド塩酸塩、ピリジン−２−チオール−１−オキシドナトリウム、イソプロピルメチルフェノール、２，４，４’−トリクロロ―２’−ヒドロキシジフェニルエーテル、アルキルポリアミノエチルグリシン、ソルビン酸、安息香酸、プロピオン酸、アルキルジメチルヒドロキシエチルアンモニウムクロライド等が挙げられる。中でも、ジデシルジメチルアンモニウムクロライド、ジオクチルジメチルアンモニウムクロライド、アルキルジメチルヒドロキシエチルアンモニウムクロライド等が好ましい。
【００６４】
洗浄剤組成物が除菌剤を含有する場合、除菌剤の含有量は、洗浄剤組成物に対して０．１〜３０質量％が好ましく、０．１〜１５質量％がより好ましい。除菌剤が２種以上含まれる場合、上記含有量は、各除菌剤の含有量の合計として定める。
【００６５】
洗浄剤組成物が酵素を含有すると、洗浄力が向上する。
酵素として、例えば、プロテアーゼ、エステラーゼ、リパーゼ、ヌクレアーゼ、セルラーゼ、アミラーゼ及びペクチナーゼ等が挙げられる。これらの酵素が含まれていると、酵素の機能により洗浄力が向上する。中でも、プロテアーゼ、アミラーゼ、リパーゼが好ましい。
【００６６】
プロテアーゼとして使用できる市販の酵素として、例えば、アルカラーゼ、サビナーゼ、エバラーゼ、カンナーゼ、エスペラーゼ、オボザイム（ノボザイムズジャパン（株））、プラフェクト、プロペラーゼ、プラフェクトＯＸ（ジェネンコア・インターナショナル社）等が挙げられる。
【００６７】
アミラーゼとして使用できる市販の酵素として、例えば、ラピダーゼ（ギスト−ブロカーズ社）、ターマミル、デュラミル、ステインザイム（ノボノルディスクバイオインダストリー（株））、プラスターＳＴ、プラスターＯｘＡｍ（ジェネンコア・インターナショナル社）等が挙げられる。
リパーゼとして使用できる市販の酵素として、例えば、エンチロンＡＫＧ−２０００（洛東化成工業（株））、リポザイム（ノボザイムズジャパン（株））等が挙げられる。
【００６８】
洗浄剤組成物が酵素を含有する場合、酵素の含有量は、洗浄剤組成物に対して、酵素タンパク質量として０．１〜１０質量％が好ましく、０．１〜５質量％がより好ましい。酵素が２種以上含まれる場合、上記含有量は、各酵素の含有量の合計として定める。
【００６９】
本発明の洗浄剤組成物に酵素及びアルカリ剤を配合する場合、アルカリ剤を含有する中性〜弱アルカリ性水溶液中での酵素失活を抑制するため、酵素安定化剤を配合することが好ましい。酵素安定化剤としては、ホウ酸又はホウ酸を形成することが可能なホウ素化合物、水溶性カルシウム塩から選択される１種以上を配合することが好ましい。酵素安定化剤の配合量は、洗浄剤組成物に対して０．００１〜１０質量％が好ましく、より好ましくは０．０１〜８質量％、さらに好ましくは１〜５質量％である。
【００７０】
本発明の洗浄剤組成物は、質量平均分子量３０００〜３０００００の高分子分散剤を含有してもよい。このような高分子分散剤を含有すると、スケール防止能が向上する。高分子分散剤は１種のみ用いてもよく、２種以上を併用してもよい。
上記質量平均分子量３０００〜３０００００の高分子分散剤としては、例えば、ポリアクリル酸、ポリアコニット酸、ポリイタコン酸、ポリシトラコン酸、ポリフマル酸、ポリマレイン酸、ポリメタコン酸、ポリ−α−ヒドロキシアクリル酸、ポリビニルホスホン酸、スルホン化ポリマレイン酸、オレフィン−マレイン酸共重合体、無水マレイン酸ジイソブチレン共重合体、無水マレイン酸スチレン共重合体、無水マレイン酸メチルビニルエーテル共重合体、無水マレイン酸エチレン共重合体、無水マレイン酸エチレンクロスリンク共重合体、無水マレイン酸アクリル酸共重合体、無水マレイン酸酢酸ビニル共重合体、無水マレイン酸アクリロニトリル共重合体、無水マレイン酸アクリル酸エステル共重合体、無水マレイン酸ブタジエン共重合体、無水マレイン酸イソプレン共重合体、無水マレイン酸と一酸化炭素から誘導されるポリ−β−ケトカルボン酸、イタコン酸、エチレン共重合体、イタコン酸アコニット酸共重合体、イタコン酸マレイン酸共重合体、イタコン酸アクリル酸共重合体、マロン酸メチレン共重合体、イタコン酸フマール酸共重合体、エチレングリコールエチレンテレフタレート共重合体、ビニルピロリドン酢酸ビニル共重合体、これらの金属塩等が挙げられる。
金属塩としては、例えば、カリウム、ナトリウム等のアルカリ金属の塩；マグネシウム、カルシウム等のアルカリ土類金属の塩を挙げることができる。中でも、アルカリ金属の塩が好ましく、ナトリウム塩又はカリウム塩がより好ましい。
本発明における質量平均分子量３０００〜３０００００の高分子分散剤としては、ポリアクリル酸塩、オレフィン−マレイン酸共重合体の塩が好ましく、ポリアクリル酸ナトリウム、オレフィン−マレイン酸共重合体のナトリウム塩がより好ましい。
【００７１】
洗浄剤組成物が質量平均分子量３０００〜３０００００の高分子分散剤を含有する場合、その含有量は、洗浄剤組成物に対して０．１〜２０質量％であることが好ましく、０．１〜１０質量％がより好ましい。質量平均分子量３０００〜３０００００の高分子分散剤が２種以上含まれる場合、上記含有量は、各高分子分散剤の含有量の合計として定める。
上記質量平均分子量は、リン酸緩衝溶液とアセトニトリルを展開溶媒とし、ゲルパーミエーションクロマトグラフィーでポリアクリル酸を標準物質として求められる。
【００７２】
本発明の洗浄剤組成物には、本発明の効果を損なわない限り、成分（ａ）及び成分（ｂ）以外の界面活性剤（以下、その他の界面活性剤という）を使用してもよい。なお、上記成分（ａ）は、本発明における界面活性剤には含まれない。
その他の界面活性剤としては、陰イオン界面活性剤、陽イオン界面活性剤、両性界面活性剤、成分（ａ）及び成分（ｂ）以外の非イオン界面活性剤（以下、単に非イオン界面活性剤ともいう）等を使用することができ、好ましくは非イオン界面活性剤である。非イオン界面活性剤として、例えば、ポリオキシアルキレンジアルキルエーテル、プルロニック型ブロックポリマー、テトロニック型ブロックポリマー、リバーステトロニック型ブロックポリマー、ポリオキシアルキレンアルキルフェニルエーテル、脂肪酸アルカノールアミド、ポリオキシアルキレン脂肪酸アルカノールアミド、ポリオキシアルキレン脂肪酸エステル、ポリオキシアルキレンソルビタン脂肪酸エステル、ポリグリセリン脂肪酸エステル、ソルビタン脂肪酸エステル、ショ糖脂肪酸エステル、アルキルポリグリコシド、ポリオキシエチレンメチルエーテル脂肪酸エステル、ポリオキシアルキレンアルキルアミン等が挙げられる。中でも、テトロニック型ブロックポリマーが好ましい。
【００７３】
洗浄剤組成物がリバースプルロニック型ブロックポリマー以外の界面活性剤を含有する場合、その含有量は、洗浄剤組成物に対して１０質量％以下であることが好ましく、５質量％以下がより好ましく、実質的に成分（ａ）及び成分（ｂ）以外の界面活性剤を含有しないことが最も好ましい。
【００７４】
本発明の洗浄剤組成物は、必要に応じて溶媒、増量剤等の洗浄剤組成物に配合される他の成分を含有してもよい。また、必要に応じて、成分（ａ）及び成分（ｂ）以外の消泡剤を含有してもよい。これらは１種のみ用いてもよく、２種以上を併用してもよい。
上記溶媒としては、水、有機溶媒等が挙げられる。有機溶媒としては、１〜３価のアルコールを好適に用いることができ、例えば、メタノール、エタノール、１−プロパノール、２−プロパノール、１−ブタノール、２−ブタノール、２−メトキシエタノール、２−エトキシエタノール等の１価アルコール；エチレングリコール、プロピレングリコール、ジプロピレングリコール、１，４−ブタンジオール、１，６−ヘキサンジオール、グリセリン、ポリエチレングリコール、ポリプロピレングリコール等の２価又は３価の多価アルコール類等が挙げられる。中でも、２価又は３価の多価アルコールが好ましく、ポリプロピレングリコール、プロピレングリコール、１,２−プロパンジオールがより好ましい。
上記増量剤としては、硫酸ナトリウム（芒硝）、粉末シリカ等が挙げられる。
上記消泡剤としては、シリコーン系消泡剤等が挙げられる。
【００７５】
本発明の洗浄剤組成物の剤形は、液体、固体（粉末、顆粒（粒状）、錠剤、タブレット、フレーク又はブロック等）のいずれでもよい。好ましくは、液体及び固体である。また、本発明の洗浄剤組成物は、カートリッジ洗浄剤等にも好適に使用される。
【００７６】
本発明の洗浄剤組成物の製造方法は特に限定されず、剤形に応じて適宜選択すればよい。例えば、成分（ａ）及び成分（ｂ）、並びに、所望により配合される他の成分を混合又は撹拌等することにより製造することができる。各成分を混合する順番、混合又は撹拌の方法等は特に限定されない。
【００７７】
例えば、ブロックなどの固形体の洗浄剤組成物を製造する際には、例えば、まず、水及び水以外の洗浄剤組成物の原料を撹拌混合し、スラリー液を調製した後、上記スラリー液を所望の型又は容器等に投入し、冷却して固化させることが好ましい。
【００７８】
具体的には、まず、水に水以外の洗浄剤組成物の原料を加えた後、３０〜１００℃に維持し、攪拌することにより、水及び洗浄剤組成物の原料を含むスラリー液を調製する。
水以外の洗浄剤組成物の原料の投入量は、上記スラリー液の全量に対して３５〜１００質量％が好ましい。
次に、上記スラリー液を所望の型又は容器に投入し、その後、上記スラリー液を常温で１〜２４時間放置して固化させ、型又は容器の形状に固化された固形体からなる洗浄剤組成物を製造する。
【００７９】
顆粒状（粒状）の洗浄剤組成物を製造する際には、洗浄剤組成物の原料となる成分（ａ）及び成分（ｂ）、並びに、所望により配合される他の成分の粒状原料を混合すればよい。混合にはリボンミキサー、ナウターミキサー、ドラムミキサーが好適に用いられる。
また、粉末状の洗浄剤組成物を製造する際には、洗浄剤組成物の原料となる成分（ａ）及び成分（ｂ）、並びに、所望により配合される他の成分の粉状原料を混合すればよい。混合にはリボンミキサー、ナウターミキサー、ドラムミキサーが好適に用いられる。
液体の洗浄剤組成物の製造方法は特に限定されず、任意の成分を混合又は攪拌等をすることにより製造することができる。各成分を混合する順番、混合又は攪拌の方法等は特に限定されない。
【００８０】
本発明の自動洗浄機用洗浄剤組成物が使用される自動洗浄機は特に限定されないが、例えば、スプレー式自動洗浄機等が挙げられる。スプレー式自動洗浄機として、例えば、自動食器洗浄機、コンテナ洗浄機等が挙げられる。中でも、本発明の洗浄剤組成物は、自動食器洗浄機用洗浄剤組成物として好適に使用される。また、本発明の洗浄剤組成物は、業務用又は家庭用の自動洗浄機用として好適に使用されるが、業務用自動洗浄機用としてより好適であり、業務用の自動食器洗浄機用洗浄剤組成物として特に好適である。
【００８１】
本発明の自動洗浄機用洗浄剤組成物を用いて自動洗浄機により食器等を洗浄する場合には、自動洗浄機中で、上記洗浄剤組成物を水で希釈した又は水に溶解させた洗浄液と食器等とを接触させればよく、該洗浄液中の洗浄剤組成物の濃度は０．０４〜０．３質量％が好ましい。
【実施例】
【００８２】
以下、本発明をより具体的に説明する実施例を示す。なお、本発明はこれらの実施例のみに限定されるものではない。
【００８３】
＜実施例１〜２５＞
表１〜表２に示す成分を、表１〜表２に示す割合となるように配合し、混合することにより実施例１〜２５の各洗浄剤組成物を製造した。表１〜表２中の数値は、洗浄剤組成物に対する各成分の純分の割合（質量％）である。
【００８４】
＜比較例１〜３８＞
表３〜表５に示す成分を、表３〜表５に示す割合となるように配合し、混合又は加温溶解することにより比較例１〜３８の各洗浄剤組成物を製造した。表３〜表５中の数値は、洗浄剤組成物に対する各成分の純分の割合（質量％）である。
【００８５】
実施例１〜２５及び比較例１〜３８で製造した洗浄剤組成物について、以下の方法で抑泡性及び洗浄力の評価を行った。
【００８６】
＜抑泡性＞
（抑泡性条件）
抑泡性の試験は、洗浄工程において、自動食器洗浄機内の水量に対して洗浄剤組成物の濃度が０．１５質量％になるように洗浄剤組成物を投入して洗浄液とし、自動食器洗浄機を運転し、２分後の泡立ちと運転を停止してから３０秒後の泡立ちを観測した。
自動食器洗浄機として、ホバート製１槽コンベアタイプの洗浄機（型番Ｃ４４Ｂ）を用いた。
（１）低温時の抑泡性
自動食器洗浄機を洗浄温度２０℃で運転した場合の泡の高さを観測した。
（２）汚れ存在下での抑泡性
全卵（鶏卵の卵液）４５gを自動食器洗浄機に投入し、洗浄温度５０℃で運転した場合の泡の高さを観測した。
（抑泡性の評価基準）
◎：抑泡性が高い
〇：抑泡性が低い
×：抑泡性が非常に低い
【００８７】
＜洗浄力＞
（洗浄条件）
洗浄力の試験は、洗浄工程において、自動食器洗浄機内の水量に対して洗浄剤組成物の濃度が０．１５％となるように、洗浄剤組成物を投入して洗浄液とし、自動食器洗浄機を用いて洗浄試験用試料（ポリプロピレン製の弁当箱に１ｇの複合汚垢を塗布したもの）を洗浄してその外観を目視で評価することにより行った。
自動食器洗浄機として、ホシザキ製ドアタイプの洗浄機（型番ＪＷ−６５０ＵＦ）を用い、洗浄条件は洗浄時間６０秒、洗浄温度６０℃、すすぎ時間５秒、すすぎ温度８０℃とした。洗浄水には、水道水を用いた。
【００８８】
（洗浄力の評価基準）
洗浄剤組成物の洗浄力を次のように評価した。
◎：汚れの付着は見られない。
○：汚れの付着はほとんど見られない。
×：明らかな汚れの残留が見られる。
【００８９】
実施例及び比較例で製造した各洗浄剤組成物の組成並びに評価結果を表１〜５に示した。
【００９０】
【表１】
0006035447.tif 000006
【００９１】
【表２】
0006035447.tif 000007
【００９２】
【表３】
0006035447.tif 000008
【００９３】
【表４】
0006035447.tif 000009
【００９４】
【表５】
0006035447.tif 000010
【００９５】
表１〜５中のポリオキシプロピレントリオールは、グリセロールのプロピレンオキサイド付加物である。表１〜５中、ＰＯは、プロピレンオキサイドを意味する。
表１〜５中の「残分」は、洗浄剤組成物１００質量％から水及び芒硝以外の成分の質量％を引いた残りが水又は芒硝であることを意味する。
【００９６】
表１〜５中の（ｂ）成分の化合物は、以下の通りである。
リバースプルロニック型ブロックポリマー（質量平均分子量４０００）：ＥＯ／ＰＯのモル比が１／３
リバースプルロニック型ブロックポリマー（質量平均分子量４５００）：ＥＯ／ＰＯのモル比が１／３．５
【００９７】
表１〜５から、実施例１〜２５の洗浄剤組成物は、低温時及び汚れ存在下において高い抑泡性を示した。さらに、実施例１〜２５の洗浄剤組成物は、洗浄力に優れるものであった。比較例１〜３８の洗浄剤組成物は、低温時又は汚れ存在下での泡立ちを抑制できなかった。
【要約】
【課題】低温時の泡立ち及び汚れに起因する泡立ちを抑制することができ、業務用自動洗浄機に使用した場合にも泡立ちを抑制することができる自動洗浄機用洗浄剤組成物を提供すること。
【解決手段】（ａ）一般式（１）で表される多価アルコールのアルキレンオキサイド付加物及び一般式（２）で表されるポリオキシアルキレンモノアルキルエーテルからなる群より選択される少なくとも１種の化合物を合計で０．０１〜１０質量％及び（ｂ）リバースプルロニック型ブロックポリマーを０．１〜１０質量％含む自動洗浄機用洗浄剤組成物。
［化１］
0006035447.tif 000013
（式中、Ｒ１は、炭素数３〜２０の３〜８価の多価アルコールから全部の水酸基を除いた残基を表し、Ａ１Ｏは、同一又は異なって、炭素数３又は４のオキシアルキレン基を表し、ｎは、オキシアルキレン基の平均付加モル数を表し、２〜１０００の数であり、ｍは、３〜８の整数を表し、ｍ個の〔−Ｏ―（Ａ１Ｏ）ｎ−Ｈ〕は同一であってもよく、異なっていてもよい。）
［化２］
0006035447.tif 000014
（式中、Ｒ２は、炭素数１〜２０のアルキル基又は炭素数２〜２０のアルケニル基を表し、Ａ２Ｏは、同一又は異なって、炭素数３又は４のオキシアルキレン基を表し、ｔは、オキシアルキレン基の平均付加モル数を表し、２〜１００の数である。）
【選択図】なし